(57)【要約】【課題】排水の凝集沈殿システムの簡素化、排水の水質（ＣＯＤ／ＢＯＤ）の向上、スラッジの含水率の低減を可能ならしめる固体系排水処理剤。【解決手段】固体系排水処理剤に人工ゼオライトを使用することにより、カチオン系高分子凝集剤の使用が可能となり、それが凝集沈殿システムの簡素化、水質の向上、スラッジ含水率の低下が可能となった。【選択図】  なし【特許請求の範囲】
【請求項１】
カチオン系高分子凝集剤と人工ゼオライトからなる固体系排水処理剤。
【請求項２】
Ｎａ型の人工ゼオライト（ＮａＯＨと水ガラスを含んだ）と高分子凝集剤、硫酸礬土からなり、水中でのＰＨが中性領域になるように配合された固体系排水処理剤。
【請求項３】
請求項２での組み合わせにアルカリ源として消石灰、フロック安定化剤としてベントナイト、又は塩化鉄を、吸着強化材として活性炭等を添加し、水中でのＰＨが中性領域になるように配合された固体系排水処理剤。
【発明の詳細な説明】
【０００１】
【発明が属する技術分野】
本発明は汚染された排水の浄化に関するものである。
【０００２】
【従来の技術】
従来の技術は主として硫酸礬土、又はＰＡＣとＮａＯＨとアニオン系高分子凝集剤の組み合わせからなる凝集沈殿システムであった。
【０００３】
【発明が解決しようとする課題】
（１）排水処理（凝集沈殿処理）の結果、発生するスラッジの含水率を低下させることによりスラッジを低減したい。
（２）従来の凝集剤システムでは反応槽が少なくとも３槽必要であり、凝集沈殿システムが複雑なものとなっているが、それを簡素化したい。（図―１参照）
（３）排水中の有機物（ＢＯＤ／ＣＯＤ）をできるだけ低減させたい。
【０００４】
【課題を解決するための手段】
発生するスラッジの含水率を低下させるためには、スラリー脱水時にカチオン系高分子凝集剤をスラリーに混入することにより、ある程度は達成できる。しかしそのためには脱水前にカチオン系高分子凝集剤添加槽が必要であり、凝集沈殿システムを更に煩雑なものにしている。これを解決するためには、排水処理時の凝集剤にカチオン系高分子凝集剤を使用すればよいが、現状の硫酸礬土、ＰＡＣ／ＮａＯＨを使用している限り、アニオン系高分子凝集剤が不可欠である。ここでカチオン系高分子凝集剤を使用できるためには、高分子凝集剤の添加前に生成される微細フロック（硫酸礬土、ＰＡＣにより生成される）のゼータ電位をマイナスに帯電させる必要がある。（硫酸礬土、又はＰＡＣにより生成されるフロックはプラスに帯電している）これを実現するために、マイナスのゼータ電位を有した人工ゼオライトを凝集剤中に使用することによりそれが可能であり、人工ゼオライト／カチオン系高分子凝集剤の組み合わせが凝集剤システムのひとつとなり得る。
又、人工ゼオライトは有機物を吸着する機能を有しているために排水中のＣＯＤ／ＢＯＤ低減にも有効であり、かつ硫酸アルミニウム、又は塩化鉄／人工ゼオライト／消石灰／カチオン系高分子凝集剤の粉末状のものを所定の割合で混合したものは、従来方式の３槽もの反応槽を必要とせず、１槽で済み、凝集沈殿システムの簡素化に役立つと言える。（図―２参照）
即ち、粉末状の人工ゼオライトとカチオン系高分子凝集剤を凝集剤システムに取り入れることにより、凝集沈殿システムの簡素化、排水の水質向上（ＢＯＤ／ＣＯＤ）、及びその脱水システムの簡素化を図ることを最も特徴とする。
【０００５】
【発明の実施の形態】
硫酸礬土／人工ゼオライト／消石灰／カチオン系高分子凝集剤に必要に応じてベントナイト、又は活性炭等を混合した固体系排水処理剤を使用することにより、凝集沈殿システムの簡素化、生成スラッジの含水率低下、排水のＢＯＤ／ＣＯＤの低下が実現した。
【０００６】
【実施例１】
固体系排水処理剤として『カチオン系高分子凝集剤＋人工ゼオライト』を用いた場合
《配合割合》
カチオン系高分子凝集剤：人工ゼオライト（Ｃａ―Ｔｙｐｅゼオライト）＝１０：９０
ここでカチオン系高分子凝集剤は市販のものを、人工ゼオライトは石炭灰を水熱処理することにより製造したもの（Ｎａ−Ｔｙｐｅゼオライト）をイオン交換で以ってＣａ−Ｔｙｐｅゼオライトに変化させたものである。
（１）排水処理例―１
原水５００ミリリットルに上記固体系排水処理剤１００ｐｐｍを添加し、１分間の混合・撹拌の後、５分間の沈殿処理を行った。その上澄み液の水質は以下のとおりであった。
原水の水質  ：ＳＳ＝８００ｐｐｍ  ＣＯＤ＝１５ｐｐｍ
固体系排水処理剤による処理後の水質  ：ＳＳ＝５ｐｐｍ  ＣＯＤ＝５ｐｐｍ以下
（２）排水処理例―２
ウーロン茶を水道水で希釈した原水１８リットルに上記固体系排水処理剤２００ｐｐｍを添加し１分間の混合・撹拌の後、５分間の沈殿処理を行った。その上澄み液の水質は以下のとおりであった。尚、原水は黄色見を帯びたものであった。
原水の水質  ：ＳＳ＝１０ｐｐｍ  ＣＯＤ＝７５０ｐｐｍ
固体系排水処理剤による処理後の水質：ＳＳ＝５ｐｐｍ  ＣＯＤ＝２５ｐｐｍ  色調：無色
その際のスラッジ含水率は従来方では８５％であったのが、本発明の固体系排水処理剤の場合には６５％であった。
（３）排水処理例―３
漬物製造工場の排水１８リットルに上記固体系排水処理剤２００ｐｐｍを添加し、１分間の混合・撹拌の後、５分間の沈殿処理を行った。その上澄み液の水質は以下のとおりであった。
原水の水質  ：ＳＳ＝５０ｐｐｍ  ＣＯＤ＝２７００ｐｐｍ
固体系排水処理剤による処理後の水質：ＳＳ＝５ｐｐｍ  ＣＯＤ＝１２００ｐｐｍ
その際のスラッジ含水率は従来法では８４％であったが、本発明の固体系排水処理剤の場合には７１％であった。
【実施例２】
固体系排水処理剤として『カチオン系高分子凝集剤＋人工ゼオライト＋硫酸礬土』を用いた場合
《配合割合》
2004305893.tif 000002
ここでカチオン系高分子凝集剤は市販のものを、人工ゼオライトは石炭灰を水熱処理することにより製造したもの（Ｎａ−Ｔｙｐｅゼオライト）を、硫酸礬土は市販のものを用いた。
（１）排水処理例―４
ジュース製造工場の排水１８リットルに上記固体系排水処理剤２００ｐｐｍを添加し、１分間の混合・撹拌の後、５分間の沈殿処理を行った。その上澄み液の水質は以下のとおりであった。
原水の水質  ：ＳＳ＝５００ｐｐｍ  ＣＯＤ＝３５００ｐｐｍ
固体系排水処理剤による処理後の水質：ＳＳ＝３０ｐｐｍ  ＣＯＤ＝１７０ｐｐｍ
その際のスラッジ含水率は従来法では８０％であったが、本発明の個体系排水処理剤の場合には６１％であった。
【実施例３】
固体系排水処理剤として『カチオン系高分子凝集剤＋人工ゼオライト＋硫酸アルミニウム＋消石灰』を用いた場合
《配合割合》
2004305893.tif 000003
ここでカチオン系高分子凝集剤は市販のものを、人工ゼオライトは石炭灰を水熱処理することにより製造したもの（Ｎａ−Ｔｙｐｅゼオライト）を、硫酸アルミニウム、消石灰は市販の固体状のものを用いた。
（１）排水処理例―５
ジュース製造工場の排水５００ミリリットルに上記固体系排水処理剤２００ｐｐｍを添加し、１分間の混合・撹拌の後、５分間の沈殿処理を行った。その上澄み液の水質は以下のとおりであった。（原水は排水処理例―４と同じもの）
原水の水質  ：ＳＳ＝５００ｐｐｍ  ＣＯＤ＝３５００ｐｐｍ  ＰＨ＝３．５
固体系排水処理剤による処理後の水質：ＳＳ＝１０ｐｐｍ  ＣＯＤ＝１０ｐｐｍ  ＰＨ＝６．５
【実施例４】
固体系排水処理剤として『カチオン系高分子凝集剤＋人工ゼオライト＋塩化第二鉄＋消石灰』を用いた場合
《配合割合》
カチオン系高分子凝集剤：人工ゼオライト（Ｎａ−Ｔｙｐｅ）：塩化第二鉄：消石灰  ＝１０：７０：５：１５
ここでカチオン系高分子凝集剤は市販のものを、人工ゼオライトは石炭灰を水熱処理することにより製造したもの（Ｎａ−Ｔｙｐｅゼオライト）を、塩化第二鉄は市販の固体のものをそれぞれ用いた。
（１）排水処理例―６
ジュース製造工場の排水５００ミリリットルに上記固体系排水処理剤２００ｐｐｍを添加し、１分間の混合・撹拌の後、５分間の沈殿処理を行った。その上澄み液の水質は以下のとおりであった。（原水は排水処理例―４と同じもの）
原水の水質  ：ＳＳ＝５００ｐｐｍ  ＣＯＤ＝３５００ｐｐｍ  ＰＨ＝３．５
固体系排水処理剤による処理後の水質：ＳＳ＝１０ｐｐｍ  ＣＯＤ＝１０ｐｐｍ  ＰＨ＝８．０
塩化第二鉄は硫酸礬土よりＣＯＤ低下機能が優れているようである。
【実施例５】
排水処理剤・Ｐａｃｋａｇｅとして『カチオン系高分子凝集剤＋人工ゼオライト＋硫酸アルミニウム＋消石灰＋ベントナイト』を用いた場合
《配合割合》
カチオン系高分子凝集剤：人工ゼオライト（Ｃａ−Ｔｙｐｅ）：硫酸アルミニウム：消石灰：ベントナイト＝５：３０：４０：１５：１０
ここでカチオン系高分子凝集剤は市販のものを、人工ゼオライトは石炭灰を水熱処理することにより製造したものをイオン交換によりＣａ−Ｔｙｐｅゼオライトにしたもの、硫酸アルミニウム、ベントナイト、消石灰は市販の固体のものをそれぞれ用いた。
（１）排水処理例―７
染色工場の排水５００ミリリットルに上記固体系排水処理剤３００ｐｐｍを添加し、１分間の混合・撹拌の後、５分間の沈殿処理を行った。その上澄み液の水質は以下のとおりであった。
原水の水質  ：ＳＳ＝１００ｐｐｍ  ＣＯＤ＝６５００ｐｐｍ  色調：青
固体系排水処理剤による処理後の水質：ＳＳ＝１０ｐｐｍ  ＣＯＤ＝２１０ｐｐｍ  色調：無色
【実施例６】
固体系排水処理剤として『カチオン系高分子凝集剤＋人工ゼオライト＋硫酸アルミニウム＋消石灰＋ベントナイト＋活性炭』を用いた場合
《配合割合》
カチオン系高分子凝集剤：人工ゼオライト（Ｃａ−Ｔｙｐｅ）：硫酸アルミニウム：消石灰：ベントナイト：活性炭＝５：３０：３０：１５：１０：１０
ここでカチオン系高分子凝集剤は市販のものを、人工ゼオライトは石炭灰を水熱処理することにより製造したものをイオン交換によりＣａ−Ｔｙｐｅゼオライトにしたもの、硫酸アルミニウム、ベントナイト、消石灰，活性炭は市販の固体のものをそれぞれ用いた。
（１）排水処理例―８
染色工場の排水５００ミリリットルに上記固体系排水処理剤３００ｐｐｍを添加し、１分間の混合・撹拌の後、５分間の沈殿処理を行った。その上澄み液の水質は以下のとおりであった。（原水は排水処理例―７と同じ）
原水の水質  ：ＳＳ＝１００ｐｐｍ  ＣＯＤ＝６５００  色調：青
固体系排水処理剤による処理後の水質：ＳＳ＝１０ｐｐｍ  ＣＯＤ＝８ｐｐｍ  色調：無色
【０００７】
【発明の効果】
本発明の固体系排水処理剤を用いれば、スラッジ含水率の低下、水質の向上、凝集沈殿システムの簡素化が図れた。
【図面の簡単な説明】
【図１】従来の凝集剤を使用した凝集沈殿システム、及び脱水システムである。
【図２】本発明の固体系排水処理剤を使用した凝集沈殿システム、及び脱水システムである。
【図１】
2004305893.tif 000004
【図２】
2004305893.tif 000005